(57)【要約】  ＷｉＭＡＸネットワーク上でマルチキャストブロードキャストサービス（ＭＣＢＣＳ）をサポートするための技術及びシステムアーキテクチャは、ローカルエージェントエンティティを含む基地局と、少なくとも１つのＭＣＢＣＳアクセスエージェントエンティティを含むＡＳＮゲートウェイとを備える少なくとも１つのＭＣＢＣＳアクセスネットワークと、ＭＣＢＣＳコントローラと、ＭＣＢＣＳ加入者プロファイルマネージャと、ＭＣＢＣＳ加入者プロファイルデータベースと、ＡＡＡ機能とを含む少なくとも１つの接続サービスネットワークと、ＭＣＢＣＳサーバと通信するインタフェースとを備える。【選択図】  図１Ａ
2010520672.tif 000002
【特許請求の範囲】
【請求項１】
マルチキャストブロードキャストサービス（ＭＣＢＣＳ）ＷｉＭＡＸ通信システムにおいて、
（１）１つ以上のＭＣＢＣＳクライアントに無線アクセスを提供する基地局と、（２）ＭＣＢＣＳクライアントのためのベアラチャンネルのシグナリング、確立及び切断を提供する少なくとも１つのＭＣＢＣＳアクセスエージェントエンティティを含むＡＳＮゲートウェイ（ＡＳＮ−ＧＷ）とを備え、各基地局が、各ローカル基地局リソース管理機能を組織化して、ＭＣＢＣＳアクセスエージェントエンティティをサポートし、システムリソース割当及びエアリンクスケジューリングサポートを調整するＭＣＢＣＳローカルエージェントエンティティを含む少なくとも１つのＭＣＢＣＳアクセスネットワーク（ＡＳＮ）と、
ＭＣＢＣＳユーザサービス供給及び配信のための機能を提供するＭＣＢＣＳコントローラと、ＭＣＢＣＳ加入者プロファイルを管理するＭＣＢＣＳ加入者プロファイルマネージャと、ＭＣＢＣＳ加入者プロファイルデータベースと、認証、認可及びアカウンティング機能を提供するＡＡＡ機能とを含む少なくとも１つの接続サービスネットワーク（ＣＳＮ）と、
ＭＣＢＣＳコンテンツデータを前記ＭＣＢＣＳコントローラにサービングするＭＣＢＣＳサーバを有する１つ以上のＭＣＢＣＳコンテンツプロバイダと通信するインタフェースとを備えるシステム。
【請求項２】
ある基地局から他の基地局にＭＣＢＣＳクライアントを切り替える際に、ＭＣＢＣＳクライアントと基地局との間で通信を同期させ、ハンドオフ処理なしで、要求されたＭＣＢＣＳサービスのデータを継続的に受信する同期メカニズムを備える請求項１記載のシステム。
【請求項３】
前記同期メカニズムは、共通の送信ゾーン内の異なる基地局の間のＷｉＭＡＸマイクロダイバーシチトランスポート同期に基づいている請求項２記載のシステム。
【請求項４】
前記同期メカニズムは、共通の送信ゾーン内で共通のＴＤＤ／ＦＤＤフレームで送信を行う異なる基地局の間のフレームレベル同期に基づいている請求項２記載のシステム。
【請求項５】
前記ＣＳＮの外にローミングするＭＣＢＣＳクライアントが、前記ローミングするＭＣＢＣＳクライアントが登録されている異なるサービングＣＳＮを介してＭＣＢＣＳサービスを受信できるように、前記ＣＳＮ内にローミングサポートメカニズムを有し、前記異なるサービングＣＳＮは、前記ＣＳＮと通信して、ＭＣＢＣＳユーザサービス供給及び配信、ＭＣＢＣＳサブスクライバプロファイル、並びにＡＡＡ機能から、前記ローミングするＭＣＢＣＳクライアントに関するデータを受信する請求項１記載のシステム。
【請求項６】
マルチキャストブロードキャストサービス（ＭＣＢＣＳ）ＷｉＭＡＸ通信システムにおいて、
（１）１つ以上のＭＣＢＣＳクライアントに無線アクセスを提供する基地局と、
（２）ＡＳＮゲートウェイ（ＡＳＮ−ＧＷ）と、
（３）ＭＣＢＣＳクライアントのためのベアラチャンネルのシグナリング、確立及び切断を提供する少なくとも１つのＭＣＢＣＳアクセスエージェントエンティティと、
（４）各ローカル基地局リソース管理機能を組織化して、ＭＣＢＣＳアクセスエージェントエンティティをサポートし、システムリソース割当及びエアリンクスケジューリングサポートを調整するＭＣＢＣＳローカルエージェントエンティティとを備える少なくとも１つのＭＣＢＣＳアクセスネットワーク（ＡＳＮ）と、
ＭＣＢＣＳユーザサービス供給及び配信のための機能を提供するＭＣＢＣＳコントローラと、ＭＣＢＣＳ加入者プロファイルを管理するＭＣＢＣＳ加入者プロファイルマネージャと、ＭＣＢＣＳ加入者プロファイルデータベースと、認証、認可及びアカウンティング機能を提供するＡＡＡ機能とを含む少なくとも１つの接続サービスネットワーク（ＣＳＮ）とを備え、前記ＭＣＢＣＳコントローラは、ＭＣＢＣＳサービスを要求するＭＣＢＣＳクライアントにＭＣＢＣＳコンテンツデータを配信するシステム。
【請求項７】
前記ＭＣＢＣＳコントローラは、前記ＣＳＮの外の１つ以上のＭＣＢＣＳコンテンツプロバイダサーバに接続され、ＭＣＢＣＳデータを検索し、受信したＭＣＢＣＳデータを配信し、ＭＣＢＣＳクライアントにサービングする請求項６記載のシステム。
【請求項８】
前記ＣＳＮは、ＭＣＢＣＳコンテンツデータを保存する１つ以上のＭＣＢＣＳコンテンツサーバを備え、
前記ＭＣＢＣＳコントローラは、前記ＣＳＮ内の１つ以上のＭＣＢＣＳコンテンツサーバに接続され、ＭＣＢＣＳデータを検索し、受信したＭＣＢＣＳデータを配信し、ＭＣＢＣＳクライアントにサービングする請求項６記載のシステム。
【請求項９】
ある基地局から他の基地局にＭＣＢＣＳクライアントを切り替える際に、ＭＣＢＣＳクライアントと基地局との間で通信を同期させ、ハンドオフ処理なしで、要求されたＭＣＢＣＳサービスのデータを継続的に受信する同期メカニズムを備える請求項６記載のシステム。
【請求項１０】
前記同期メカニズムは、共通の送信ゾーン内の異なる基地局の間のＷｉＭＡＸマイクロダイバーシチトランスポート同期に基づいている請求項９記載のシステム。
【請求項１１】
前記同期メカニズムは、共通の送信ゾーン内で共通のＴＤＤ／ＦＤＤフレームで送信を行う異なる基地局の間のフレームレベル同期に基づいている請求項９記載のシステム。
【請求項１２】
前記ＣＳＮの外にローミングするＭＣＢＣＳクライアントが、前記ローミングするＭＣＢＣＳクライアントが登録されている異なるサービングＣＳＮを介してＭＣＢＣＳサービスを受信できるように、前記ＣＳＮ内にローミングサポートメカニズムを有し、前記異なるサービングＣＳＮは、前記ＣＳＮと通信して、ＭＣＢＣＳユーザサービス供給及び配信、ＭＣＢＣＳサブスクライバプロファイル、並びにＡＡＡ機能から、前記ローミングするＭＣＢＣＳクライアントに関するデータを受信する請求項６記載のシステム。
【請求項１３】
前記ＭＣＢＣＳアクセスエージェントエンティティ、前記ＭＣＢＣＳローカルエージェントエンティティ及び前記ＭＣＢＣＳコントローラは、前記ＭＣＢＣＳコントローラによってサポートされているＭＣＢＣＳサービスを発見し、ＭＣＢＣＳコンテンツデータを提供するＭＣＢＣＳコンテンツプロバイダサーバと前記ＭＣＢＣＳクライアントとの間で直接通信を提供する、前記ＭＣＢＣＳクライアントのための発見処理を提供するように構成されている請求項６記載のシステム。
【請求項１４】
前記ＭＣＢＣＳアクセスエージェントエンティティ、前記ＭＣＢＣＳローカルエージェントエンティティ及び前記ＭＣＢＣＳコントローラは、ＷｉＭＡＸに準拠するＭＣＢＣＳサービスに加えて、３ＧＰＰ２に準拠するＭＣＢＣＳサービスをサポートするように構成されている請求項６記載のシステム。
【発明の詳細な説明】
【技術分野】
【０００１】
関連出願への相互参照
本出願は、以下の４件の米国仮出願の優先権及び利益を主張する。
【０００２】
１．２００７年３月２日に出願された出願番号第６０／９０４，６３０号、発明の名称「Multicast Broadcast Services (MBS) over Wireless Communication Networks」
２．２００７年３月５日に出願された出願番号第６０／８９３，０７９号、発明の名称「Multicast Broadcast Services (MBS) over Wireless Communication Networks」
３．２００７年１０月１３日に出願された出願番号第６０／９７９，８１１号、発明の名称「WiMAX Multicast Broadcast Network System Architecture」
４．２００７年１０月１５日に出願された出願番号第６０／９７９，９８２号、発明の名称「WiMAX Multicast Broadcast Network System Architecture」
以上の特許文献の内容は、引用によって本願に援用される。
【０００３】
背景
本出願は、無線通信に関する。
【背景技術】
【０００４】
無線通信システムは、地域を複数のセルに分割することによって、地域内に位置している加入者局又は移動局（例えば、無線又は移動局）に音声又はデータサービスを提供する。各セルは、更に２つ以上のセクタに分割できる。各セルは、例えば、上りリンク（forward link）を介して固定又は移動加入者局に通信信号を送信し、及び下りリンク（reverse link）を介して加入者局から通信信号を受信する基地局等のシステム通信設備を備える。高速パケットデータデータサービスのために設計された１つの例示的な無線通信システムは、ＨＤＲ（High Data Rate）又はＨＲＰＤ（High Rate Packet Data）システムとしても知られている１ｘＥＶ−ＤＯである。１ｘＥＶ−ＤＯは、国際規格グループである第三世代プロジェクトパートナーシップ２（Third Generation Project Partnership Two：３ＧＰＰ２）によって、Ｃ．Ｓ００２４として標準化されている。既に公表されている規格には、ＩＳ−８５６リビジョン０、リビジョンＡ及びリビジョンＢ規格が含まれる。無線通信システムの他の具体例は、ＩＥＥＥ８０２．１６規格（例えば、ＩＥＥＥ８０２．１６ｅ）に基づくＷｉＭＡＸ（wireless interoperability for microwave access：マイクロ波アクセスのための無線相互運用性）技術に基づく無線ネットワークである。
【０００５】
無線ネットワークを用いて、二地点間（ポイントツーポイント：point-to-point）通信サービスと、マルチキャスト及びブロードキャストサービスとの両方を提供することができる。マルチキャストサービスは、例えば、マルチメディアデータ等のデータの単一方向一対多（ポイントツーマルチポイント：point-to-multipoint）送信を可能にし、マルチメディアデータは、１つ以上のタイプのデータ、例えば、テキスト、オーディオ、ピクチャ、ビデオ及び他のデータを含んでいてもよい。３ＧＰＰ２  ＭＢＭＳ（Multicast and Broadcast Service）は、３Ｇネットワークを介したこのようなマルチキャストブロードキャストサービスの具体例である。
【発明の概要】
【課題を解決するための手段】
【０００６】
本出願は、特に、ＷｉＭＡＸネットワーク上でマルチキャストブロードキャストサービス（Multicast Broadcast Service：ＭＣＢＣＳ）をサポートするための技術及びシステムアーキテクチャを提供する。一側面においては、マルチキャストブロードキャストサービス（ＭＣＢＣＳ）ＷｉＭＡＸ通信システムは、（１）１つ以上のＭＣＢＣＳクライアントに無線アクセスを提供する基地局と、（２）ＡＳＮゲートウェイ（ＡＳＮ−ＧＷ）と、（３）ＭＣＢＣＳクライアントのためのベアラチャンネルのシグナリング、確立及び切断（tearing down）を提供する少なくとも１つのＭＣＢＣＳアクセスエージェントエンティティと、（４）各ローカル基地局リソース管理機能を組織化して、ＭＣＢＣＳアクセスエージェントエンティティをサポートし、システムリソース割当及びエアリンクスケジューリングサポートを調整するＭＣＢＣＳローカルエージェントエンティティとを備える少なくとも１つのＭＣＢＣＳアクセスネットワーク（ＡＳＮ）を備える。システムは、更に、ＭＣＢＣＳユーザサービス供給及び配信のための機能を提供するＭＣＢＣＳコントローラと、ＭＣＢＣＳ加入者プロファイルを管理するＭＣＢＣＳ加入者プロファイルマネージャと、ＭＣＢＣＳ加入者プロファイルデータベースと、認証、認可及びアカウンティング機能を提供するＡＡＡ機能とを含む少なくとも１つの接続サービスネットワーク（ＣＳＮ）を備える。ＭＣＢＣＳコントローラは、ＭＣＢＣＳサービスを要求するＭＣＢＣＳクライアントにＭＣＢＣＳコンテンツデータを配信する。
【０００７】
他の側面においては、マルチキャストブロードキャストサービス（multicast broadcast service:ＭＣＢＣＳ）ＷｉＭＡＸ通信システムは、（１）１つ以上のＭＣＢＣＳクライアントに無線アクセスを提供する基地局と、（２）ＭＣＢＣＳクライアントのためのベアラチャンネルのシグナリング、確立及び切断を提供する少なくとも１つのＭＣＢＣＳアクセスエージェントエンティティを含むＡＳＮゲートウェイ（ＡＳＮ−ＧＷ）とを備える少なくとも１つのＭＣＢＣＳアクセスネットワーク（ＡＳＮ）を備える。各基地局は、各ローカル基地局リソース管理機能を組織化して、ＭＣＢＣＳアクセスエージェントエンティティをサポートし、システムリソース割当及びエアリンクスケジューリングサポートを調整するＭＣＢＣＳローカルエージェントエンティティを含む。このシステムは、更に、ＭＣＢＣＳユーザサービス供給及び配信のための機能を提供するＭＣＢＣＳコントローラと、ＭＣＢＣＳ加入者プロファイルを管理するＭＣＢＣＳ加入者プロファイルマネージャと、ＭＣＢＣＳ加入者プロファイルデータベースと、認証、認可及びアカウンティング機能を提供するＡＡＡ機能とを含む少なくとも１つの接続サービスネットワーク（ＣＳＮ）と、ＭＣＢＣＳコンテンツデータをＭＣＢＣＳコントローラにサービングするＭＣＢＣＳサーバを有する１つ以上のＭＣＢＣＳコンテンツプロバイダと通信するインタフェースとを備える。
【０００８】
ＷｉＭＡＸネットワーク上でマルチキャストブロードキャストサービス（ＭＣＢＣＳ）をサポートする技術及びシステムアーキテクチャのこれらの及び他の側面は、図面、詳細情報及び特許請求の範囲に更に詳細に開示されている。
【図面の簡単な説明】
【０００９】
【図１Ａ】マルチキャスト及びブロードキャストサービス（ＭＣＢＣＳ）を提供する無線ＷｉＭＡＸネットワーク設計の具体例を示す図である。
【図１Ｂ】マルチキャスト及びブロードキャストサービス（ＭＣＢＣＳ）を提供する無線ＷｉＭＡＸネットワーク設計の具体例を示す図である。
【図２】図１Ａ及び図１Ｂに示すマルチキャスト及びブロードキャストサービスコントローラ（ＭＢＳＣ）の様々な論理機能の具体例を示す図である。
【図３】図１Ａと図１Ｂに示すＷｉＭＡＸシステムにおける例示的なブロードキャストサービスと、例示的なマルチキャストサービスとの間を比較し、ＭＣＢＣＳをサポートするブロードキャストモードとマルチキャストモードとの間のサービス提供手続きの共通点及び相違点を示す図である。
【図４】ＭＣＢＣＳユーザサービス登録手続きの具体例を示す図である。
【図５】ＭＣＢＣＳユーザサービス登録解除手続きの具体例を示す図である。
【図６】ＭＣＢＣＳユーザサービスアクティブ化の具体例を示す図である。
【図７】ＭＣＢＣＳユーザサービス非アクティブ化の具体例を示す図である。
【図８】ＭＣＢＣＳコンテンツ送信セッション開始（リソース割当）の具体例を示す図である。
【図９】ＭＣＢＣＳコンテンツ送信セッション停止（リソース割当解除）の具体例を示す図である。
【図１０】ブロードキャストモードのためのＭＣＢＣＳコンテンツ送信セッション更新の具体例を示す図である。
【図１１】ＷｉＭＡＸマクロダイバーシチに基づくＭＣＢＣＳデータ同期を示す図である。
【発明を実施するための形態】
【００１０】
新しく登場したマルチキャストブロードキャストサービスは、第四世代（４Ｇ）無線統合ネットワークサービス（wireless convergence network service）の重要な一部であると考えられる。ＷｉＭＡＸネットワークのためのマルチキャストブロードキャストサービス（ＭＣＢＣＳ）を定義するＷｉＭＡＸサービスプロバイダワーキンググループによれば、ＭＣＢＣＳの実装を用いて、複数のユーザに共通のコンテンツを効率的に提供することができる。ＭＣＢＣＳは、ＩＥＥＥ８０２．１６ｅＭＢＳの特徴を使用することによって実装することができ、適切なＩＰネットワーキングソリューションを提供することによって、ＷｉＭＡＸアクセスネットワーク上でＭＣＢＣＳを実現することができる。本出願は、ＷｉＭＡＸネットワーク上でマルチキャストブロードキャストサービス（ＭＣＢＣＳ）をサポートするためのシステムアーキテクチャの具体例を開示する。
【００１１】
ＭＣＢＣＳは、マルチキャスティング又はブロードキャスティングサービスに分類できる。ＭＣＢＣＳにおけるマルチキャストサービスでは、ユーザは、マルチキャストＩＰセッションに動的に参加し及び離脱することができ、システムは、各ＭＣＢＣＳゾーンにおけるユーザの数を監視して、データ送信及びそのモードを決定することができる。ＭＣＢＣＳのブロードキャストサービスでは、基地局からブロードキャストコンテンツを受信する移動加入者局（ＭＳ）の数を考慮することなく、コンテンツは、アクセスネットワークによって、ブロードキャストチャンネルを介して常に送信される。ＭＣＢＣＳ動作のこれらの２つの可能なモードのために、ＭＣＢＣＳをサポートする２つのサービス層、すなわち、ＭＣＢＣＳ加入管理及びＭＣＢＣＳトランスポート管理がある。ＭＣＢＣＳ加入管理は、多くのＭＣＢＣＳ加入者へのアプリケーションコンテンツの配信（例えば、オーディオ及びビデオクリップニュース等）、ユーザ認証及び認可、アカウンティングのサポート、サービス品質（ＱｏＳ）の管理、データ機密性及びプライバシのサポート等の機能を含むことができる。ＭＣＢＣＳ加入管理機能は、ＩＰマルチキャストをサポートする異なるトランスポート技術に基づいて構築することができる。ＭＣＢＣＳトランスポート管理を実装することによって、ＭＣＢＣＳ加入者のためのＩＰマルチキャスティングサポートを提供し、ＭＣＢＣＳ送信ゾーンへの一対多のデータ配信ツリー情報を保守し、トランスポート層アカウンティングサポートを提供することができる。
【００１２】
このＷｉＭＡＸ  ＭＣＢＣＳネットワークソリューションは、既存の無線リソースを効率的に使用し、既存の３Ｇネットワーク内の既存のコアネットワークインフラストラクチャを再利用してＷｉＭＡＸ  ＭＣＢＣＳサービスを実現する手法で実装することできる。このＷｉＭＡＸ  ＭＣＢＣＳネットワークソリューションは、ユニキャスト、マルチキャスト及びブロードキャストサービスの間、及び異なる無線ネットワークサービスプロバイダ（Network Service Provider：ＮＳＰ）の間での最適な無線アクセスネットワークリソース共有に関連する設計的配慮に基づいて展開することができる。効果的で効率的なローミングサポートを用いることによって、ＷｉＭＡＸネットワークアクセスプロバイダ（Network Access Provider：ＮＡＰ）、ＮＳＰ及びコンテンツプロバイダ（Content Provider：ＣＰ）、並びにアプリケーションサービスプロバイダ（Application Service Provider：ＡＳＰ）の間でＭＣＢＣＳサービスを促進するための重要な基準を提供できる。
【００１３】
ＭＣＢＣＳサービス要求の複雑性及びＭＣＢＣＳサービスをサポートすることに関係する異なるネットワークコンポーネント及びインフラストラクチャの性質のため、既存のＷｉＭＡＸ規格、例えば、ＷｉＭＡＸ  ＮＷＧ  Ｒｅｌｅａｓｅ１．０アーキテクチャは、ＭＣＢＣＳサービスをサポートするように更新する必要がある。したがって、既存のＷｉＭＡＸ規格におけるＢＳ、アクセスサービスネットワーク（Access Service Network：ＡＳＮ）ゲートウェイ、接続サービスネットワーク（Connectivity Serving Network：ＣＳＮ）は、ＭＣＢＣＳサービスをサポートするように変更できる。トランスポートは、マルチキャスト及びブロードキャストサービスをサポートするので、この設計は、ＷｉＭＡＸネットワークインフラストラクチャ上でマルチキャストトランスポートを提供する。
【００１４】
１．マルチキャスト及びブロードキャストサービスのための無線ＷｉＭＡＸネットワークアーキテクチャ
図１Ａは、マルチキャスト及びブロードキャストサービス（ＭＣＢＣＳ）を提供する無線ＷｉＭＡＸネットワーク設計の具体例を示している。このシステムは、サービスエリア内で空間的に分布され、無線加入者局（subscriber station：ＳＳ）又は移動局（Mobile Station：ＭＳ）のための無線アクセスネットワークを形成する基地局（base station：ＢＳ）又は無線基地局（base transceiver station：ＢＳＴ）のネットワークを含む。ＳＳ又はＭＳは、基地局と無線通信できる如何なる通信機器であってもよく、移動ＳＳ又は固定ＳＳとして実現してもよく、固定ＳＳは、システム内で配置を変更してもよい。固定された無線機器の具体例には、デスクトップコンピュータ及びコンピュータサーバを含ませることができる。移動無線機器の具体例には、移動無線電話機、携帯情報端末（Personal Digital Assistant：ＰＤＡ）及びモバイルコンピュータを含ませることができる。システムの基地局は、概念的にセルの中心にあり、ダウンリンク無線信号を介してセル内のＭＳと無線通信する無線送受信機である。各ＢＳは、指向性アンテナを有し、２個以上の指向性ビームを生成して、各セルを異なるセクションに更に分割するように設計してもよい。システムには、ＢＳを制御するための基地局コントローラ（base station controller：ＢＳＣ）が設けられている。各ＢＳＣは、２つ以上の指定されたＢＳのグループに接続され、接続されたＢＳを制御する。各ＡＳＮ内には、ＢＳＣ及び対応するＢＳを制御するために、１つ以上のＡＳＮゲートウェイ（Gateway：ＧＷ）ユニットが設けられている。この図に示すように、無線ＷｉＭＡＸネットワークは、少なくとも１つのＡＳＮを含むことができ、２つ以上のＡＳＮを含んでいてもよい。各ＡＳＮは、他のデータと共に、ＭＣＢＣＳサービスのための様々なデータを搬送するキャリアＩＰネットワークに接続され、図１Ａでは、これを「マルチキャスト／ブロードキャストネットワーク」として示している。また、図１Ａの無線ＷｉＭＡＸネットワークは、ＷｉＭＡＸ通信のための接続サービスネットワーク（ＣＳＮ）を含む。ＣＳＮは、マルチキャスト／ブロードキャストネットワークに接続されている。オプションとして、図１Ａの無線ＷｉＭＡＸネットワークは、無線アクセスネットワークの無線カバレッジを拡張するマルチホップ中継（multihop relay：ＭＲ）基地局をサポートするように構成してもよい。ＡＳＮは、１つ以上のＡＳＮ−ＭＲサーバを含むことができ、ＣＳＮは、１つ以上のＣＳＮ−ＭＲサーバを含むことができる。
【００１５】
図１Ａの無線ＷｉＭＡＸネットワークのＭＣＢＣＳ機能は、ＡＳＮ及びＣＳＮ内のＭＣＢＣＳコントローラ（MCBCS Controller：ＭＢＳＣ）の内部の論理機能として提供されている。これに関連して、ＡＳＮは、ＭＣＢＣＳ機能に関してＭＳのための無線アクセスを管理及び制御する１つ以上のＭＢＳローカルエージェント（Local Agent：ＬＡ）機能及びＭＢＳアクセスエージェント（Access Agent：ＡＡ）機能を含むことができる。例えば、ＭＢＳ−ＡＡは、１つ以上のＡＳＮ−ＧＷ内に実装することができ、ＭＢＳ−ＬＡは、１つ以上のＢＴＳ内に実装することができる。ＣＳＮ内のＭＢＳＣは、（１）ＣＳＮの外部の１つ以上のサードパーティＭＣＢＣＳコンテンツプロバイダサーバから、所望のＭＣＢＣＳコンテンツを検索し、ルーティングすること、（２）ＣＳＮの内部の１つ以上のコンテンツサーバ内の所望のＭＣＢＣＳコンテンツを検索すること、及び（２）（１）と（２）の組合せによって、ＭＣＢＣＳコンテンツを提供して、ＭＳからのＭＣＢＣＳ要求に応えるように構成できる。
【００１６】
ＭＣＢＣＳコントローラ（ＭＢＳＣ）
ＭＢＳＣは、ＭＣＢＣＳユーザサービスの供給及び配信のための機能を提供する。ＭＢＳＣは、ＭＣＢＣＳコンテンツプロバイダがＭＣＢＣＳコンテンツ送信を可能にするためのエントリポイントとして機能できる。ＭＢＳＣは、ＭＣＢＣＳコンテンツネットワークを調整して、ＭＣＢＣＳコンテンツの受信をスケジューリングする役割を担う。また、ＭＢＳＣは、ＭＣＢＣＳコンテンツサーバから供給されてくるコンテンツを認可し、ＷｉＭＡＸアクセスネットワークに向けてＭＣＢＣＳダウンリンク送信を開始する役割も担う。例えば、ＭＢＳＣは、ＭＣＢＣＳ加入及びグループ管理機能、コンテンツセッション管理及び配信機能（コンテンツ完全性サポートを含む。）、ＭＣＢＣＳベアラ制御及び中継機能（ベアラコンテキスト管理及びＡＳＮにおけるＭＢＳ−ＡＡとのベアラコンテキスト同期を含む。）、サービス発見及び告知機能、ＭＣＢＣＳアクセス制御機能及びＭＣＢＣＳ送信ゾーン管理等の論理機能を含むことができる。
【００１７】
ＭＢＳクライアント
ＭＢＳクライアントとは、ＭＣＢＣＳに適応するＭＳを指す。このエンティティは、ＭＣＢＣＳ情報取得、ＭＣＢＣＳサービス／加入登録及びＭＣＢＣＳコンテンツ受信を実行する役割を担う。
【００１８】
ＭＣＢＣＳアクセスエージェント（ＭＢＳ−ＡＡ）
このＭＢＳアクセスエージェント論理エンティティは、ＡＳＮ−ＭＲとだけでなく、アンカデータパス（data path：ＤＰ）エンティティ及びＭＳのアンカＳＦＡ（service flow authorization：サービスフロー認可）とにインタフェースすることによって、ＭＢＳＣとＭＳとの間のベアラチャンネルをシグナリングし、確立し、切断する役割を担う。ＭＢＳアクセスエージェントは、単一のＭＢＳ−ＧＷ内に配設してもよく、２つ以上のＭＢＳ−ＧＷ内に配設してもよい。
【００１９】
ＭＢＳ−ＡＡは、システムのサポートと、ＲＦ及びコアネットワークリソースの最適化並びに必要なＱｏＳ等を考慮する無線リソース管理機能とに同期させて、ＭＣＢＣＳ送信ゾーン内及びＭＣＢＣＳ送信ゾーンに亘る複数のＭＣＢＣＳ送信を調整する役割を担う。更に、ＭＣＢＣＳサービスのためのヘッダ圧縮が可能な場合、このＭＢＳ−ＡＡは、ヘッダ圧縮動作もサポートできる。
【００２０】
また、ＭＢＳ−ＡＡは、ＭＢＳＣによって調整されるＭＣＢＣＳ送信ゾーン管理もサポートできる。
【００２１】
ＭＣＢＣＳローカルエージェント（ＭＢＳ−ＬＡ）
このＭＣＢＣＳローカルエージェントローカルエンティティは、ローカル基地局（ＢＳ）リソース管理機能を組織化し、ＭＢＳ−ＡＡをサポートして、ＭＣＢＣＳトランスポートのためのシステムリソース割当及びエアリンクスケジューリングサポート（airlink scheduling support）を調整する役割を担う。ＭＢＳ−ＬＡは、ＢＳに配設してもよい。
【００２２】
図１Ａは、ＭＢＳクライアントがそのホームＣＳＮによってサービス提供（サービング）されているシステムを示している。更に、図１Ｂは、ＭＢＳクライアントがホームＣＳＮのサーバ領域からロームアウトし、サービング中の又は訪問先のＣＳＮによってサービングされるシステムを示しており、このＣＳＮは、同じネットワークサービスプロバイダによるＣＳＮであってもよく、他のネットワークサービスプロバイダからのＣＳＮであってもよい。現在サービング中の又は訪問先のＣＳＮが、ホームＣＳＮによって提供されているＭＣＢＣＳサービスをサポートする場合、現在サービング中の又は訪問先のＣＳＮは、ホームＣＳＮと通信を行い、ＭＣＢＣＳサービスコンテンツをローミングしているＭＳにルーティングすることができる。現在サービング中の又は訪問先のＣＳＮが、ホームＣＳＮによって提供されているＭＣＢＣＳサービスをサポートしない場合、要求されたＭＣＢＣＳサービスは、ローミングしているＭＳがＭＣＢＣＳをサポートするサービング中のＣＳＮ（サービングＣＳＮ）を発見するまで、一時的に中断される。図１Ｂに示すように、ＭＣＢＣＳをサポートするサービングＣＳＮは、ホームＣＳＮと通信を行い、要求側のＭＳのためのＭＣＢＣＳサービス情報を取得し、適切なＭＣＢＣＳコンテンツプロバイダサーバからＭＣＢＣＳコンテンツを検索し、要求側のＭＳにＭＣＢＣＳコンテンツデータを供給することができる。
【００２３】
ＭＢＳアーキテクチャ内では、異なるネットワークエンティティの間の通信インタフェースのために以下の参照点（reference point：ＲＰ）を用いることができる。
【００２４】
＞Ｒ１インタフェース
・ＩＥＥＥ８０２．１６ｅ規格に基づく。
【００２５】
・ＭＢＳエアリンクセッション作成／保守／削除
・ＭＢＳ電力効率的受信−スリープモード及びアイドルモードのＭＳをサポート
・移動性等
＞Ｒ２インタフェース
・ＭＣＢＣＳサービス発見、加入登録及びコンテンツ告知（例えば、ＨＴＴＰを介する）をサポート
・ＭＣＢＣＳサービス承認認証及びコンテンツ保護のためのセキュリティ関連付け確立（すなわち、認証、認可及び鍵管理）
・ＭＣＢＣＳサービス制御シグナリングへの応答及びＭＣＢＣＳコンテンツ選択の決定（すなわち、ＭＢＳサービス選択／変更／削除−例えば、ＲＴＳＰを介する）
・ＭＣＢＣＳサービス認証、認可及び鍵管理のサポートのためのＭＢＳＣとの調整
・ＭＣＢＣＳ統計収集、コンテンツ配信確認及び再送信のサポート
＞Ｒ３インタフェース
・ＭＣＢＣＳセッション制御のための
−ＭＢＳ−ＡＡからＭＢＳＣへのＭＣＢＣＳサービス登録、並びにＭＢＳＣとＭＢＳ−ＡＡとの間のサービス認証及び認可
−ＭＣＢＣＳベアラコンテキスト確立及び同期
−ＭＣＢＣＳセッション管理
・ＭＣＢＣＳは、ＭＣＢＣＳセッションの開始／終了を通知する。ＭＣＢＣＳコンテンツＩＤ及び名称、マルチキャストＩＰ及びポート等のセッション属性は、ＭＢＳＣからＭＢＳ−ＡＡにダウンロードされる。
【００２６】
−ＭＣＢＣＳ  ＱｏＳ管理
−ＭＣＢＣＳ送信ゾーン管理
・ＭＣＢＣＳ加入者管理のための
−加入者セッション認証、認可、開始（例えば、マルチキャスト参加）、終了
−加入者セッション動作（すなわち、参加、解放）によってトリガされるＭＢＳＣとＭＢＳ−ＡＡとの間のＭＣＢＣＳ加入コンテキスト同期
−複数のＡＳＮに亘って分散されたＭＢＳＣ機能をサポートするプロキシシグナリング
＞Ｒ５インタフェース
・ＭＣＢＣＳベアラ制御及び加入者管理のためのローミングサポート−通信は、訪問先ＭＢＳＣとホームＭＢＳＣとの間で行われる。
【００２７】
・ローミングする加入者は、訪問先ＭＢＳＣによってサービングされるために、ホームＭＢＳＣの認証及び認可を必要とする（但し、全てのＭＣＢＣＳユーザクラスに適用する必要はない）。
【００２８】
・分散されたＭＢＳＣ機能をサポートし、加入者がＭＣＢＣＳサービスにアクセスするために適切なＡＳＮを選択するためのプロキシシグナリング。これは、ルーティングの最適化リソース節約、及びオペレータポリシを目的としている。
【００２９】
＞Ｒ６／Ｒ４／Ｒ８インタフェース
・ＭＣＢＣＳデータグラムの同期及び送信
・ＭＢＳゾーン管理及び保守
・マルチキャストツリーの接ぎ木及び枝刈り
・ユーザ移動及びＭＢＳゾーン告知
・ＭＢＳ接続確立及び保守−サービスフローマネージャを介してサービスフローエージェントと共に、ページングエージェントを介してページングコントローラと共に調整される。
【００３０】
・ＭＢＳのためのマクロダイバーシチサポート−ＭＢＳ−ＬＡと共に調整されるＭＢＳ−ＡＡによって開始及び制御され、ＡＳＮとＣＳＮとの間の、及びＭＢＳコンテンツネットワークへのＩＰユニキャスト及びＩＰマルチキャスト（ＩＧＭＰｖ２／３）のサポートを介してＡＳＮデータパス機能にインタフェースされる。
【００３１】
図１Ａ及び図１ＢのＷｉＭＡＸシステムの特徴は、共通のＭＳ及びバックエンドコアネットワークシステム能力を用いて、ＷｉＭＡＸ、３ＧＰＰ２マルチキャスト／ブロードキャストサービスの両方をサポートでき、ＷｉＭＡＸマルチキャスト／ブロードキャストアクセスエージェント（ＭＢＳ−ＡＡ）機能が、ＷｉＭＡＸアクセスサービスネットワーク（ＡＳＮ）において、バックエンドコアネットワーク内でマルチキャスト／ブロードキャストコントローラ（ＭＢＳＣ）を動的に発見することができ、及びこれによって、ＭＳは、サービス登録、認証及び認可、並びにプログラミングコンテンツ情報取得のためにマルチキャスト／ブロードキャストコンテンツサーバ（ＭＢＳサーバ）と直接通信することができる。
【００３２】
２．  ＭＣＢＣＳ機能的説明
包括的に言えば、ＷｉＭＡＸ  ＡＳＮ及びＣＳＮは、連携して動作してＭＣＢＣＳベアラトランスポートサービスをサポートする。但し、ＭＢＳＣ機能を除いて、以下に説明する全ての機能エンティティがＭＣＢＣＳのために特別に設計されているわけではない。ＭＢＳＣは、ベアラトランスポートサービス及び加入者管理、例えば、ＭＣＢＣＳ加入者へのサービス供給及び配信を提供する。
【００３３】
２．１  ＭＣＢＣＳコントローラ（ＭＢＳＣ）
ＭＢＳＣは、ＭＣＢＣＳ機能エンティティの１つであり、ＭＣＢＣＳ加入者管理、例えば、サービス供給及び配信をサポートする機能を提供する。また、ＭＢＳＣは、ＭＣＢＣＳコンテンツプロバイダがＭＣＢＣＳコンテンツをダウンロードするためのゲートウェイとしても機能する。ＭＢＳＣは、ＡＳＮ内又はＡＳＮに亘る所与のＭＣＢＣＳ送信ゾーンのためのＭＣＢＣＳベアラトランスポートを開始し、ＡＳＮと連携して、ＷｉＭＡＸネットワーク内のＭＢＳゾーンでサービングするＭＢＳ−ＡＡへのＭＣＢＣＳコンテンツダウンロードをスケジューリングする役割を担う。
【００３４】
ＭＢＳＣは、ＭＣＢＣＳコンテンツへのアクセスのために、ＭＣＢＣＳ加入者を認証及び認可する役割を担う。一旦、ＭＣＢＣＳ加入者が認証され、ローカルＡＳＮにおけるＭＣＢＣＳコンテンツにアクセスすることを認可されると、ＭＢＳＣは、この加入者についてＭＣＢＣＳベアラコンテキストをセットアップでき、及びこのような情報をＡＳＮに渡して、ＭＣＢＣＳユーザコンテキストを確立することができる。
【００３５】
ＭＢＳＣによって提供される主要な機能は、以下の通りである。
【００３６】
−ＭＣＢＣＳ加入及びグループ管理機能−マルチキャストモード動作のみに適用可能
−コンテンツセッション管理及び配信機能（コンテンツ完全性サポートを含む）
−ＭＣＢＣＳベアラ制御及び中継機能（ベアラコンテキスト管理及びＡＳＮにおけるＭＢＳ−ＡＡとのベアラコンテキスト同期を含む）−マルチキャストモードのみに適用可能
−サービス発見及び告知機能
−ＭＣＢＣＳアクセス制御機能−マルチキャストモード動作のみに適用可能
−ＭＣＢＣＳ送信ゾーン管理
図２は、ＭＢＳＣの論理機能の具体例を示している。
【００３７】
２．１．１．  ＭＣＢＣＳサービス告知／発見
この機能は、マルチキャスト及びブロードキャスト動作の両方について、ＭＢＳＣとＭＣＢＣＳ加入者との間のＭＣＢＣＳセッション通信をサポートするように設計されている。この意図は、ＭＣＢＣＳ加入者が、所与のＡＳＮについて利用可能なＭＣＢＣＳユーザサービスの範囲を要求できるようにし、又はＭＣＢＣＳ加入者にこの範囲を知らせることである。
【００３８】
サービス告知は、以下を含む。
【００３９】
−ＭＢＳＣによってＭＣＢＣＳ加入者移動局（ＭＳ）に提供される、メディアタイプ記述（例えば、ビデオ及びオーディオ符号化のタイプ）に関する情報
−例えば、以下のような、ＭＳに配信されるＭＣＢＣＳセッションを特定するＭＣＢＣＳセッション記述
・ＭＣＢＣＳサービス識別子及び／又はコンテンツ名
・ＭＣＢＣＳコンテンツ記述
・ＩＰマルチキャストアドレス及び／又はポートＩＤ
・コンテンツプログラムスケジュール（すなわち、開始時間、終了時間及び許可されている登録時間）
・トランスポートプロトコル（例えば、ＲＴＰ／ＵＤＰ等）
・ＱｏＳパラメータ（例えば、帯域幅）
・アプリケーションプロトコル（例えば、ＭＰＥＧ４等）
・セキュリティパラメータ
・例えば、以下のようなパケット処理情報
・暗号化タイプ−リンク層又は上位層符号化
・ヘッダ圧縮情報−アルゴリズム（例えば、ＲＯＨＣ  Ｕモード等）及び構成パラメータ
ＡＳＮを介してＭＳに向けて送信される告知は、ＭＢＳＣによってトリガすることができるが、必ずしも、ＭＢＳＣが発信しなくてもよく、告知を送信するメカニズムは、例えば、ＭＢＳＣを操作し、ＭＢＳ−ＡＡに直接シグナリングしてＭＣＢＣＳユーザサービスをブロードキャストさせることによって、ＷＡＰ又はＨＴＴＰを介してＵＲＬを用いて、及びＳＭＳ二地点間メッセージングによって実現してもよい。上述したメカニズムは、ユーザの位置に基づいて選択してもよく、したがって、位置情報サービス（Location Based Service：ＬＢＳ）機能とのインタラクションが必要となることがある。ＭＣＢＣＳサービスに未だ加入していないユーザでも、ＭＣＢＣＳユーザサービスを発見できるようにする必要がある。
【００４０】
２．１．２．  ＭＣＢＣＳ加入及びグループ管理機能
加入及びグループ管理機能は、ＭＣＢＣＳサービスを要求するＭＣＢＣＳ加入者の認証及び認可を提供する。この機能は、ＭＣＢＣＳベアラサービスコンテキストに基づいて、ＭＣＢＣＳ加入者コンテキストを生成でき、これをＡＳＮに渡して、ＭＣＢＣＳユーザコンテキストを導出することができる。また、加入及びグループ管理機能は、ＭＣＢＣＳ加入者のためのアカウンティング記録を生成することができる。
【００４１】
２．１．３．  ＭＣＢＣＳコンテンツセッション管理
コンテンツソースがコンテンツネットワークから動的にダウンロードされる場合、ＭＢＳＣは、コンテンツプロバイダからのコンテンツソースの承諾の前に、コンテンツプロバイダ側に向かって外部ソースを認証及び認可することができる。これに代えて、手動操作、例えば、ストレージディスクによって、コンテンツをＭＢＳＣに提供してもよい。
【００４２】
２．１．４．  ＭＣＢＣＳサービスポリシ制御、コンテンツ中継及び配信機能、並びにベアラ制御
この論理機能は、ＭＣＢＣＳコンテンツを提供するためのローカルＭＣＢＣＳサービスポリシを決定するポリシ制御機能を提供し、セッション管理機能から受信したＭＣＢＣＳコンテンツをＡＳＮに中継するコンテンツ中継機能として動作する。
【００４３】
一旦、コンテンツプロバイダからコンテンツソースが受信されると、ＭＢＳＣは、ＡＳＮと連携して、各ブロードキャスト又はマルチキャスティングセッションのためのＭＣＢＣＳコンテンツダウンロードをスケジューリングし、これは、ＭＣＢＣＳコンテンツを受信する権限を有する全てのＭＳのための個別のユニキャストセッションであってもよい。各送信セッションは、システム内で一意的なＭＣＢＣＳセッション識別子に関連付けることができ、これにより、ＭＣＢＣＳ加入者移動局（ＭＳ）は、必要であれば、再送信を認識できる。
【００４４】
特定のＭＣＢＣＳセッションの各送信及び後の再送信は、共通のＭＣＢＣＳセッション識別子によって識別可能であり、ＭＣＢＣＳセッション識別子は、コンテンツのアプリケーション層において渡され、また、ＡＳＮへのＭＣＢＣＳセッション開始要求メッセージに含ませることもできる。ＭＳは、二地点間セッション送信修復を遂行する際に、ＭＣＢＣＳセッションを特定するために完全なＭＣＢＣＳセッション識別子を使用し、ＡＳＮは、所与のＭＣＢＣＳコンテンツのためのセッション通知メッセージ内で、ＭＣＢＣＳセッション識別子の全部又は一部を使用する。
【００４５】
また、ＭＢＳＣは、ローカルＡＳＮのサービスポリシに基づいて、トランスポートベアラに関連するパラメータ、例えば、ＱｏＳパラメータ及びＭＣＢＣＳ送信ゾーン（すなわち、ＭＣＢＣＳコンテンツ送信の地理的なサービスカバレッジエリア）をＡＳＮに提供できる。
【００４６】
ＭＢＳＣは、ＡＳＮへのスケジューリングされた送信の前に、ＲＦリソース割当を含み、ＡＳＮによって制御されるネットワークリソース初期化をサポートできる。同様に、ＭＢＳＣは、スケジューリングされた送信が完了した後に、ＡＳＮによって制御されるネットワークリソースの割当解除をサポートできる。前方誤り訂正のサポートも可能である。
【００４７】
この機能は、ＭＣＢＣＳベアラトランスポートをサポートするためのマルチキャスト配信ツリー及びＡＳＮに送信されるマルチキャストペイロードを管理する役割を担う。また、この機能は、ベアラコンテキスト管理及び所与のＭＣＢＣＳコンテンツのためのＡＳＮにおけるＭＢＳ−ＡＡとのマルチキャスト／ブロードキャストダウンリンク送信同期のサポートのための役割も担う。
【００４８】
他のベアラ制御機能は、ＭＣＢＣＳマルチキャスト及びブロードキャストモード動作のために、ユニキャスト及びマルチキャスト（又はブロードキャスト）エアリンクトランスポート切替（すなわち、エアリンク上でのユニキャストからマルチキャスト（又はブロードキャスト）への切替又はマルチキャスト（又はブロードキャスト）からユニキャストへの切替）をサポートすることである。
【００４９】
この機能により、ＢＳの同じグループの同じカバレッジエリア内で同じＭＣＢＣＳコンテンツに加入しているＭＣＢＣＳ加入者の数を考慮し、例えば、ＢＳ及びＭＳのパワーレベル、並びに変調符号化等が含まれる一定の無線リソース消費を達成することによって、エアリンクリソースの最適化が実現し、ＭＢＳＣは、ＭＳからこれらの情報を収集して、ユニキャスト及びマルチキャスト（又はブロードキャスト）トランスポート間の実際のシステムリソース使用のトレードオフを導出することができる。この情報は、ＭＢＳＣによってＡＳＮに送られ、ユニキャスト及びマルチキャスト（又はブロードキャスト）エアリンクトランスポート切替動作をスケジューリングするための処理が行われる。
【００５０】
２．１．５．  ＭＣＢＣＳセキュリティ機能
ここに説明する機能は、ＭＣＢＣＳ加入者保護に関するものであり、先に説明したＭＣＢＣＳ加入及びグループ管理機能をサポートするように設計されている。ＭＣＢＣＳ加入者は、受信したＭＣＢＣＳコンテンツのデータ保全及び／又は機密性保護のためにＭＣＢＣＳセキュリティ機能を利用することができる。また、ＭＢＳＣセキュリティ機能は、ＭＣＢＣＳブロードキャストアクセス鍵（Broadcast Access Key：ＢＡＫ）を導出するためにも用いられ、ＢＡＫは、ＢＡＫを取得するための証明された資格を有する認可されたＭＳに配信することができる。
【００５１】
２．１．６．  ＭＣＢＣＳ送信ゾーン管理（サービスカバレッジエリア管理）
この機能は、１つ以上のＭＣＢＣＳ送信ゾーンに提供されるＭＣＢＣＳコンテンツを管理する。これらのゾーンのそれぞれは、ＷｉＭＡＸネットワーク内に複数のＢＳを含む。全てのＭＳは、同じ８０２．１６マルチキャスト接続を介して、同じゾーン内の同じＭＢＳチャンネルにアクセスできる。なお、同じＭＢＳゾーン内の全てのＢＳは、同じＭＢＳコンテンツを暗号化するための同じ鍵を共有する。同じＭＣＢＣＳサービスカバレッジエリアでサービングする全てのＢＳは、ダウンリンク送信を、同じ周波数上で、ＲＦシンボルの精度で同期させることができ、これによりＭＳは、ダウンリンク送信をシームレスに受信し続けることができる。これは、同じＭＣＢＣＳ送信ゾーンに属するＢＳ間のハンドオフ遅延を実質的に低減させる。したがって、この特定の具体例では、ＭＢＳＣは、どのＢＳがどのＭＣＢＣＳ送信ゾーンに属するかについて知る必要がある。
【００５２】
２．２  ＭＣＢＣＳアクセスエージェント（MCBCS Access Agent：ＭＢＳ−ＡＡ）及びＡＳＮゲートウェイ（ASN Gateway：ＡＳＮ−ＧＷ）
ＭＢＳ−ＡＡは、ローカルアクセスネットワークリソース割当を管理及び制御し、ネットワーク要素を調整して、ＭＣＢＣＳ加入者へのＭＣＢＣＳコンテンツのＡＳＮベアラトランスポートをサポートする論理機能のグループである。更に、ＭＢＳ−ＡＡは、ローカルアクセスネットワークにおいて、ＭＣＢＣＳサービスのＱｏＳ性能を強制する。ＭＢＳ−ＡＡ論理機能のリストについては、以下に説明する。
【００５３】
ＭＣＢＣＳアーキテクチャのＭＢＳ−ＡＡの役割は、ＭＣＢＣＳコンテンツを受信するためのＩＰマルチキャストトラフィックのエントリポイントとして機能することである。ＭＢＳ−ＡＡは、ＭＢＳＣからの通知に応じて、又は静的な構成（static configuration）を介して、ブロードキャスト又はマルチキャストＭＣＢＣＳ送信をサポートするためのベアラプレーンを確立することができる。同様に、ＡＳＮ−ＧＷは、ＭＢＳＣからの通知に応じて、又は静的な構成を介して、ブロードキャスト又はマルチキャストＭＣＢＣＳ送信を終了するためにベアラプレーンを切断することができる。
【００５４】
ＡＳＮゲートウェイは、ＭＣＢＣＳコンテンツ配信ツリーの葉ノードであり、ＭＳに代わってＩＧＭＰプロキシ機能を提供し、ＭＢＳＣを根ノードとするＭＣＢＣＳコンテンツ配信ツリーをサポートする。ＭＣＢＣＳユーザサービスのアクティブ化及び非アクティブ化は、それぞれＭＳのＩＧＭＰ参加メッセージ及びＩＧＭＰ解放メッセージによってトリガされる。
【００５５】
所与のＭＣＢＣＳ送信セッションのために指定されたＡＳＮにおけるアンカデータパス機能は、ＭＣＢＣＳ固有のＩＰマルチキャストトラフィックを受信することができ、これは、所与のＭＣＢＣＳコンテンツのための同じＭＣＢＣＳ送信ゾーンに属するＢＳを宛先とする対応するユニキャストＲ６及び／又はＲ４トンネルにリダイレクトすることができる。
【００５６】
アンカデータパス機能がＢＳに向けてＭＣＢＣＳコンテンツを送信する前に、ＭＢＳ−ＡＡにおけるＭＢＳ同期機能エンティティは、ＭＢＳコンテンツ同期プロトコルを使用して、タイミング及びフレーミングエアリンクスケジューリング情報によって同じＭＣＢＣＳ送信ゾーン内の全てのＢＳを同期し、同期された無線送信をサポートする。
【００５７】
ＭＢＳ−ＡＡは、上述したＭＢＳ−ＡＡ  ＭＣＢＣＳエアリンクスケジューリング機能に供給するためのＭＣＢＣＳに関連する無線リソース情報の全てを収集し、ＭＣＢＣＳ送信ゾーン内及びＭＣＢＣＳ送信ゾーンに亘る無線リソース管理をサポートする役割を担う。
【００５８】
また、ＭＢＳ−ＡＡは、ＡＳＮ内及びＡＳＮ間の移動手続き（mobility procedure）をサポートでき、アクティブ化されたＭＣＢＣＳベアラサービスのそれぞれのためのユーザ固有のＭＣＢＣＳユーザコンテキストを保存し、このコンテキストを渡し、ＭＣＢＣＳのための移動手続きをサポートし、節電手続きをサポートする。
【００５９】
また、ＭＢＳ−ＡＡは、どのＭＳが、所与のＭＣＢＣＳ送信にアクティブに関連付けらたままであるかを判定できる必要がある。
【００６０】
ＭＢＳ−ＡＡは、ＭＢＳＣとのＭＣＢＣＳユーザコンテキスト同期をサポートできる。
【００６１】
ＭＢＳ−ＡＡは、各ＭＣＢＣＳ加入者について、ＭＣＢＣＳマルチキャストベアラトランスポートあたりのアカウンティング記録（課金記録）の生成をサポートできる。
【００６２】
ＭＢＳ−ＡＡは、ＭＢＳＣからのセッション開始の受信に応じて、所与のＭＣＢＣＳコンテンツに固有の専用のアンカデータパス機能と連携して、ＭＣＢＣＳベアラトランスポートを確立することができ、同様に、ＭＢＳ−ＡＡは、ＭＢＳＣからのセッション停止の受信に応じて、専用のアンカデータパス機能と連携して、ＭＣＢＣＳベアラトランスポートを切断することができる。
【００６３】
２．３  ＭＣＢＣＳローカルエージェント（ＭＢＳ−ＬＡ）及びＢＳ機能
ＭＢＳ−ＬＡは、ＢＳに常駐する論理機能のグループであり、ＢＳにおいてローカルに無線リソース管理とインタフェースし、ＡＳＮ−ＧＷにおいて、ＭＢＳコンテンツ同期プロトコルのサポートを介して、ＭＢＳ−ＡＡとインタフェースし、所与のＭＣＢＣＳ送信ゾーンについて、ＭＳと同期したＭＣＢＣＳコンテンツの配信のための効率的なＭＣＢＣＳスケジューリングを提供する。ＭＣＢＣＳコンテンツ同期は、同じＭＣＢＣＳ送信ゾーンに属する全てのＢＳの動作に関連し、これらの全てのＢＳは、ＴＤＤ／ＦＤＤフレームを用いて、同じＭＣＢＣＳコンテンツを送信するために全てが同期され（すなわち、フレームレベル同期）、同じチャンネル符号化スキームを用いて、同じＯＦＤＭＡデータ領域において同期させることもできる（すなわち、シンボルレベル同期）。このような精度の調整機能の結果、マクロダイバーシチ効果が実現され、カバレッジエリアのセルエッジにおいても、加入者により高い伝送品質のコンテンツを提供することができる。
【００６４】
ＭＢＳ−ＬＡは、ＭＢＳ−ＡＡによって制御されるＭＣＢＣＳコンテンツ同期動作をサポートし、ＢＳに向けてのデータ配信の間にパケット損失が生じた場合、如何なるフィードバック／再送信チャンネルも必要とすることなく、ＢＳの無線処理の簡単な回復をサポートできる。無線インタフェースを介するコンテンツの配信の前に、様々な技術、例えば、結合及びセグメント化を適用することによって、無線リソースの最も効率的な使用が確実になると考えられる。ＭＣＢＣＳコンテンツ同期動作がサポートされる場合、同じＭＣＢＣＳ送信ゾーンに属する全てのＢＳは、単一周波数ネットワーク（Single Frequency Network：ＳＦＮ）及び／又はマルチキャリア動作に参加するように構成され、ＭＣＢＣＳ送信ゾーン内で又はＭＣＢＣＳ送信ゾーンに亘って、ＳＦＮ及び／又はマルチキャリア動作について、同一のＭＣＢＣＳコンテンツデータの送信を確実にする。
【００６５】
ＭＢＳ−ＬＡは、ＭＢＳＣによるＭＣＢＣＳエアリンクスケジューリング制御判定をサポートして、ＭＣＢＣＳエアリンク送信をスケジューリングすることができる。ＭＢＳ−ＬＡは、ＭＢＳＣによるＭＣＢＣＳ送信の開始及び終了をサポートできる。他の移動サービスと同様に、ＭＢＳ−ＬＡは、ＭＳの移動によって引き起こるデータ損失に対処でき、ＭＣＢＣＳ動作を保守することができる。
【００６６】
２．４  ＭＣＢＣＳクライアント及びＭＳ機能
ＭＳに常駐するＭＣＢＣＳクライアントは、ＭＣＢＣＳベアラトランスポートのアクティブ化又は非アクティブ化をサポートし、ＭＣＢＣＳセッションコンテンツに関連するＭＣＢＣＳユーザコンテキストを保守する。一旦、ＭＣＢＣＳベアラトランスポートがアクティブ化されると、ＭＣＢＣＳコンテンツを受信するためのＭＳからの更なる明示的な要求は必要ないが、ＭＣＢＣＳセッション送信が開始されようとしていることを更にＭＳに通知してもよい。ＭＣＢＣＳクライアントは、ＭＢＳＣとインタフェースして、ＭＣＢＣＳセキュリティ機能をサポートすることができる。ＭＣＢＣＳクライアントは、ＭＣＢＣＳ告知を受信して、ＭＣＢＣＳコンテンツを発見することができ、更に、ＭＣＢＣＳクライアントは、複数のＭＣＢＣＳコンテンツに登録して、異なるＭＣＢＣＳコンテンツから複数のダウンリンク送信を受信することができる。ＭＣＢＣＳクライアントは、コンテンツダウンロードの間のＭＣＢＣＳトランザクションの損失に関してＭＢＳＣに報告でき、また、ＭＢＳＣからの再送信をサポートできる。ＭＣＢＣＳクライアントは、ＭＣＢＣＳセッション識別子を含む定期的なＭＣＢＣＳセッション通知を受信してもよい。このような情報に基づき、ＭＣＢＣＳクライアントは、次のＭＣＢＣＳ送信を受け付けるか無視するかを決定することができる。
【００６７】
なお、ＭＳは、Ｒ１インタフェースを介して、エアリンクプロトコルによって、ＭＢＳゾーン毎に１つのＭＢＳ  ＭＡＰ記述子ＩＥを監視できる。ＭＳは、Ｒ１を介してダウンリンク（Down Link：ＤＬ）ＭＡＰにアクセスし、まず、ＭＢＳゾーンと、各ゾーンにおける関連するＭＢＳ  ＭＡＰの位置を特定する。そして、これに続いて、ＭＳは、ＭＢＳ  ＭＡＰとの同期が失われない限り、又はＭＣＢＣＳコンテンツデータの次のシーケンスの送信スケジュールをＭＣＢＣＳ加入者（すなわち、ＭＳ）に告知する準備が完了するまでは、ＤＬ  ＭＡＰを参照することなく、ＭＢＳ  ＭＡＰを読み出すことができる。ＭＢＳ  ＭＡＰ  ＩＥ(Information Element)は、ＭＢＳゾーンＰＨＹ層構成を特定し、ＯＦＤＭＡシンボルオフセット（Symbol Offset）パラメータを介して、各ＭＢＳゾーンの位置を定義する。ＭＢＳ  ＭＡＰは、関連するＭＢＳゾーンの第１のＯＦＤＭシンボルの第１のサブチャンネルに位置する。マルチＢＳ  ＭＢＳのＩＥＥＥ８０２．１６ｅの特徴では、一旦、ＭＳがＭＢＳゾーンに関連付けられると、ＭＳは、移動の間、各ＢＳに継続的に登録する必要がない。ＭＣＢＣＳコンテンツは、ＭＳがアイドルモードのときにアクセスでき、ＭＳの電力消費を低く抑えることができる。
【００６８】
３．  ＭＣＢＣＳポリシ制御及び管理サポートのためのＭＣＢＣＳシステム属性及びパラメータ
ＭＣＢＣＳに関連するコンテキストには、ＭＣＢＣＳベアラコンテキスト及びＭＣＢＣＳユーザコンテキストの２つの主なタイプがある。
【００６９】
３．１  ＭＣＢＣＳベアラコンテキスト
ＭＣＢＣＳベアラコンテキストは、ＭＣＢＣＳサービスプロファイルと呼ばれ、ＭＣＢＣＳをサポートするために無線アクセスネットワークによってサポートできる。これは、ＭＣＢＣＳデータを提供するために用いられるベアラのトランスポートの特性を記述する。
【００７０】
ＭＣＢＣＳベアラコンテキストは、所与のＭＣＢＣＳコンテンツについて最初のＭＣＢＣＳユーザコンテキストが作成された際に、ＡＳＮにおいて生成できる。ＭＣＢＣＳベアラコンテキストは、所与のＭＣＢＣＳコンテンツのためのＭＣＢＣＳベアラトランスポートのアンカデータパスによって保守される。ＭＣＢＣＳベアラコンテキスト生成のトリガメカニズムは、ＭＣＢＣＳセッション開始（Session Start）であり、これによってＭＣＢＣＳベアラコンテキストは、アクティブ状態になる。ＭＣＢＣＳベアラコンテキストが「アクティブ」状態になるとは、ＭＣＢＣＳ送信セッションを提供するために、所与のＭＣＢＣＳベアラプレーンリソースがネットワークによって使用されることを意味する。この状態は、対応するＭＣＢＣＳセッションが進行している限り維持される。同様に、ＡＳＮがＭＣＢＣＳセッション停止（Session Stop）を受信すると、ＭＣＢＣＳベアラコンテキストは、「非アクティブ」状態になり、これは、その時点で、ＡＳＮにおいて、所与のＭＣＢＣＳベアラプレーンリソースが必要でないことを意味する。この状態は、進行中のＭＣＢＣＳセッションがない限り維持される。最終的に、所与のＭＣＢＣＳコンテンツのための最後のＭＣＢＣＳユーザコンテキストがＡＳＮから削除されると、ＭＣＢＣＳベアラコンテキストも削除できる。ＭＢＳＣは、無線ネットワークが所与のＭＣＢＣＳコンテンツをサポートするためのサービス同意がある限り、ＭＢＳＣのベアラ制御及び中継機能によって、所与のＭＣＢＣＳコンテンツのためのＭＣＢＣＳベアラコンテキストを保守する。
【００７１】
包括的に言えば、ＭＣＢＣＳベアラコンテキストは、マルチキャストモード又はブロードキャストモード動作、ＭＣＢＣＳベアラのＩＰマルチキャストアドレス、ＭＣＢＣＳベアラのアンカデータパスが上述のＩＰマルチキャストアドレスに関連付けられているアンカＡＳＮのアドレス、ＱｏＳパラメータ、ＭＣＢＣＳ送信ゾーン、所与のＭＣＢＣＳ送信ゾーンに関連付けられているＡＳＮのリスト、及び（マルチキャストモードのみについて）マルチキャストグループに関連付けられている加入者の数といった情報の組を含むことができる。
【００７２】
３．２  ＭＣＢＣＳユーザコンテキスト
ＭＣＢＣＳユーザコンテキストは、ＭＳが参加している特定のＭＣＢＣＳベアラサービスに関連するユーザ固有のＭＣＢＣＳコンテンツ加入情報を含む。ＭＣＢＣＳユーザコンテキストは、ＭＳ、ＡＳＮ−ＧＷ、並びにＭＢＳＣの加入及びグループ管理機能において作成される。ＭＳが１つのＡＳＮから他のＡＳＮに移動し、新たなＡＳＮに再アンカリングされる（re-anchored）と、ＭＣＢＣＳユーザコンテキストも転送される。ＭＳのためのＭＣＢＣＳサービスアクティブ化の間、このＭＳについて最初のＭＣＢＣＳユーザコンテキストが作成されると、ＭＣＢＣＳユーザコンテキストのある情報がＢＳに提供され、ＭＳコンテキストの一部として保存される。なお、所与のＭＳについて、１つのＭＣＢＣＳユーザコンテキストがＭＣＢＣＳコンテンツセッションに提供される。
【００７３】
包括的に言えば、ＭＣＢＣＳユーザコンテキストは、ＭＣＢＣＳベアラのＩＰマルチキャストアドレス、ＭＣＢＣＳベアラのアンカデータパスが上述のＩＰマルチキャストアドレスに関連付けられているアンカＡＳＮのアドレス、ルーティングエリア識別情報、ＭＳの識別情報及びＲ６／Ｒ４トンネルエンドポイントの識別情報といった情報の組を含むことができる。
【００７４】
４．  マルチキャスト及びブロードキャストモードサービス提供
ＭＣＢＣＳコンテンツセッションのためのマルチキャスト及びブロードキャスト送信の受信は、サービス提供手続きの特定の組によって可能になる。包括的に言えば、マルチキャスト動作とブロードキャストモード動作との間には、サービス提供手続きについて、共通点と相違点がある。図３は、これらのサービス提供手続きの各ステージの共通点及び相違点を要約している。また、マルチキャスト送信及びブロードキャストモード送信をサポートするためのこれらの手続きの設計について説明するために、更なる詳細を提供することもできる。
【００７５】
４．１  マルチキャストモード手続き
マルチキャストモード送信の間、フェーズ「加入（subscription）」、「参加（joining）」及び「離脱（leaving）」は、個々のＭＳの動作に適用される手続きである。他のフェーズ、すなわち、「サービス告知（service announcement）」、「セッション開始（session start）」、「通知（notification）」、「データ転送（data transfer）」及び「セッション停止（session stop）」は、ＭＣＢＣＳサービスによって影響が与えられる全てのＭＳに適用される手続きである。
【００７６】
４．１．１  ＭＢＳＣ発見
包括的に言えば、静的ＭＣＢＣＳサービス発見及び動的ＭＣＢＣＳサービス発見の２つのＭＢＳＣ発見法を提供できる。静的ＭＣＢＣＳサービス発見では、ＭＳのＭＣＢＣＳクライアントにＭＢＳＣのサーバＩＰアドレス又は識別子（ＦＱＤＮ）を供給することができる（例えば、移動端末への直接的なＯＴＡサービス供給）。このような静的な構成は、固定又は半固定の展開（例えば、コンサートホール、サッカースタジアム、競馬場等）においてより適切である。動的ＭＣＢＣＳサービス発見を用いて、ＤＨＣＰ  ＩＰ構成能力を利用して、ＤＨＣＰ発見、要求又は通知メッセージを介して、ＭＢＳＣのアドレスを取得することができる。更に、動的ＭＣＢＣＳサービス発見を用いることによって、ＤＨＣＰ  ＩＰ構成能力を利用して、ＤＨＣＰ発見、要求又は通知メッセージを介してＭＢＳのＦＱＤＮを取得することができる。
【００７７】
４．１．２  加入
ＭＣＢＣＳ加入フェーズの主要な目的は、加入者とサービスプロバイダとの間の関係を確立することである。加入の後に、ユーザは、関連するＭＣＢＣＳマルチキャストサービスを受信することができ、サービスプロバイダ／オペレータは、加入者が受信したＭＣＢＣＳマルチキャストサービスに関して課金を行うことができる。
【００７８】
ＭＣＢＣＳサービス加入は、様々なメカニズムで行うことができ、例えば、インターネットを介して行ってもよく、サービスプロバイダの販売オフィス等を訪問することによって行ってもよい。ＭＣＢＣＳサービス加入は、ＭＣＢＣＳブロードキャストモードでは不要である。
【００７９】
４．１．３  サービス告知／発見
ＭＣＢＣＳサービス告知／発見メカニズムによって、ユーザは、ネットワークによってサポートされるＭＣＢＣＳユーザサービスの範囲を要求し、又はこれを知ることができる。
【００８０】
ＭＣＢＣＳサービス告知は、サービスアクティブ化のためのサービス及びパラメータに関する情報、例えば、１又は複数のＩＰマルチキャストアドレス、ＡＳＮ識別子（ＮＡＰ  ＩＤではない）、サービス開始時刻、使用可能なメディアフォーマット等をユーザに配信するために使用される。
【００８１】
サービス告知をサポートするために、２つの手法を用いることができ、「プル」法では、受信ＭＳが主導権を有し、「プッシュ」法では、サービス自体が主導権を有する。プル法では、機器がウェブサーバから告知（ＨＴＴＰ又はＷＡＰ）をフェッチする。プッシュ法では、ＳＭＳ（Short Message Service：ショートメッセージサービス）セルブロードキャスト、ＳＭＳ−ＰＰ（point-to-point：ポイントツーポイント）、ＷＡＰプッシュ、ＭＣＢＣＳブロードキャスト、ＭＣＢＣＳマルチキャスト及びＭＭＳ（マルチメディアメッセージサービスサービス）が使用される。ＭＣＢＣＳサービスをユーザに知らせる手法は、加入者の位置を考慮して選択してもよい（すなわち、ＬＢＳサポート）。ＭＣＢＣＳサービスに未だ加入していない移動加入者局（ＭＳ）でも、ＭＣＢＣＳサービス告知を受信できるようにする必要がある。
【００８２】
サービスが保護されている（例えば、サービス告知内にサービス保護記述が存在している）ことを示すＭＣＢＣＳユーザサービス情報をＭＳが受信し、ユーザがＭＣＢＣＳユーザサービスを受信することを望んだ場合、ＭＳは、ＭＣＢＣＳ送信モードのタイプの如何にかかわらず、すなわち、ブロードキャスト及びマルチキャストの何れにおいても、ＭＣＢＣＳユーザサービスに登録することができる。登録は、有効な加入者であるＭＳが必要なＭＳＫ及び後のＭＳＫの更新の全てを確実に受信できるようにするために必要である。ＭＣＢＣＳユーザサービスが如何なる保護も必要としない（例えば、サービス告知内にサービス保護記述が存在していない）場合、ＭＳは、鍵管理目的のためのユーザサービス登録を実行しない。
【００８３】
４．１．４  参加−サービスアクティブ化
アクティブな「マルチキャスト」サービスのそれぞれについて、関係する全ての機能的要素（すなわち、ＭＳ、ＭＢＳ−ＬＡ、ＭＢＳ−ＡＡ及びＭＢＳＣ）は、ＭＳのためにＭＣＢＣＳユーザコンテキストを作成する。機能的要素が、特定のサービスについてＭＳのために第１のＭＣＢＣＳユーザコンテキストを作成する場合、この機能的要素は、更に、「関連付けられた」ＭＣＢＣＳベアラコンテキストを作成する。ＭＳが特定のサービスの受信を望む場合、ＭＳは、サービス告知から抽出することができるマルチキャストグループに参加する必要がある。
【００８４】
一旦、情報を取得すると、ＭＳは、ＩＧＭＰ（Internet Group Management Protocol：インターネットグループ管理プロトコル、ＩＰｖ４）又はＭＬＤ（Multicast Listener Discovery：マルチキャストリスナ発見、ＩＰｖ６）参加メッセージを送出する。これらの機器は、ＭＢＳＣによって認可された後に、必要なＭＣＢＣＳユーザコンテキスト及びベアラコンテキストを作成する。ユーザがサービスの更なる受信を必要としなくなった場合、ＭＳは、ＩＧＭＰ／ＭＬＤ離脱メッセージをネットワークに送出する。移動通信ネットワークでは、ユーザの移動を考慮に入れ、受信者が他のＢＳに移動する都度、ＭＢＳＣにおけるグループメンバシップ情報を更新する必要がある。
【００８５】
参加は、サービス受信の直前、サービス受信の長期間前（すなわち、一週間前、数日前等）、及びアクティブなＭＣＢＣＳサービスの進行中の送信時のうちの１つ以上の条件下で実行できる。参加は、課金の根拠として使用することができるので、加入者を認証する必要があり、参加の認可は、サービス加入のオペレータ／所有者によって確認する必要がある。参加は、マルチキャストモードのみで必要であり、ブロードキャストモードでは不要である。
【００８６】
４．１．５  セッション開始−リソース確保
ＭＢＳＣがＡＳＮにデータを送信する準備が完了すると、ＭＢＳＣは、セッション開始メッセージをＭＢＳ−ＡＡに送信する。続いて、ＭＢＳ−ＡＡは、供給されてくるＭＣＢＣＳコンテンツのためのＭＣＢＣＳ送信ゾーンの一部であるＢＳ内の対応するＭＢＳ−ＬＡに対し、次の送信を知らせる。ＭＢＳ−ＬＡは、ＭＣＢＣＳコンテンツ送信をサポートするために必要なリソースを確保する。関連する全てのネットワーク要素において、アクティブ化されたサービスのためのＭＣＢＣＳベアラコンテキストは、「アクティブ」状態に設定される。データ送信が終了すると、ＭＢＳＣは、「セッション停止」メッセージをＭＢＳ−ＡＡに送信し、また、ＭＢＳ−ＡＡは、関連するＭＢＳ−ＬＡに動作イベントを中継する。そして、ＭＢＳ−ＬＡは、確保されたリソースを解放する。そして、全ての関連するネットワーク要素において、このサービスのためのＭＣＢＣＳベアラコンテキストは、「スタンバイ」状態に変わる。
【００８７】
ユーザは、セッション開始の前又は後にサービスをアクティブ化することができるので、セッション開始は、ユーザによってトリガされるＭＣＢＣＳサービスのアクティブ化（すなわち、ＩＧＭＰ参加）から独立して行われる。セッション開始は、ＭＣＢＣＳデータ転送のためのベアラリソース確立のためのトリガである。
【００８８】
４．１．６  ＭＣＢＣＳ通知
このメカニズムは、ＭＳに所与のセルのＭＣＢＣＳの特定のダウンストリームデータに関する進行中の使用可能性又は次の使用可能性を知らせる。これは、基本的に、ダウンストリーム送信の他のフェーズの指示としてＭＳに通知を行うために用いることができる。主要な要件は以下の通りである。
【００８９】
・ＭＣＢＣＳ通知は、ＭＣＢＣＳ送信ゾーン内で送信することができる。
【００９０】
・何れのＭＳの動作状態にもかかわらず、アクティブ化されたＭＣＢＣＳサービスによって全てのＭＳがこれを受信できるようにＭＣＢＣＳ通知を送信することができる。
【００９１】
・ＭＣＢＣＳ通知は、既存のＭＣＢＣＳ無線リソースの再使用を最大化する必要がある。
【００９２】
・ＭＣＢＣＳ通知によって、端末は、電力消費を最小化でき、これは、ＭＣＢＣＳサービスをアクティブ化したＭＳが、ＭＣＢＣＳ通知を継続的に聴取（listen）する必要はなく、定期的に聴取すればよいことを意味する。
【００９３】
・ＭＣＢＣＳ通知の受信は、保証できない。
【００９４】
・ＭＳは、ＭＣＢＣＳ通知を受信してもよく、同時に他の機会を監視してもよく、例えば、ＭＳ専用ページングを行ってもよい。
【００９５】
ＷｉＭＡＸは、Ｒ１を介してＭＣＢＣＳ通知を提供するが、このような機能は、マルチＢＳ  ＭＢＳトランスポートのみで使用可能である。
【００９６】
４．１．７  データ転送
この処理は、ダウンストリームデータ送信と呼ばれる。ブロードキャストモードの場合、暗号化はなく、再送信の如何なる可能性もない。一方、マルチキャストモードの場合、データを保護でき、再送信を提供することもできる。
【００９７】
４．１．８  セッション停止（リソース割当解除）
ＭＢＳＣがデータの送信を終了する準備が完了すると、ＭＢＳＣは、セッション停止（Session Stop）メッセージをＭＢＳ−ＡＡに送信する。続いて、ＭＢＳ−ＡＡは、送信の終了を対応するＭＢＳ−ＬＡに知らせる。ＭＢＳ−ＬＡは、ＭＣＢＣＳコンテンツセッションに割り当てられている必要なリソースを割当解除する。全ての関連するネットワーク要素において、アクティブ化されたサービスのためのＭＣＢＣＳベアラコンテキストは、「非アクティブ」状態に設定される。全てのネットワーク要素において、このサービスのためのＭＣＢＣＳベアラコンテキストは、「非アクティブ」の状態に変わる。
【００９８】
４．１．９  離脱（非アクティブ化）
これは、加入者がマルチキャストグループを離脱する（メンバであることを停止する）処理であり、すなわち、ユーザが、特定のＭＣＢＣＳサービスのマルチキャストモードデータの受信を望まなくなった場合の処理である。
【００９９】
ＭＣＢＣＳグループからの離脱は、加入の終了を意味するわけではない。離脱は、ＭＣＢＣＳサービス受信の前でも、最中でも、後でも実行できる必要がある。離脱に際しては、加入者認証を要求してもよい。離脱は、二地点間接続を介してのみ行うことができる。離脱は、マルチキャストモードにおいてのみ必要である。
【０１００】
４．２  ブロードキャストモード手続き
適用可能な手続き、すなわち、「サービス告知」、「セッション開始」、「通知」、「データ転送」及び「セッション停止」は、マルチキャストモード手続きと同様のシステム挙動を有する。
【０１０１】
更なる手続きであるセッション更新（Session Update）は、ＭＣＢＣＳブロードキャストモード動作のみに適用され、進行中のＭＣＢＣＳブロードキャストの特定のシステム動作パラメータを更新するように設計される。システム動作パラメータは、（１）ＭＣＢＣＳ送信ゾーンの更新及び／又は（２）同じＭＣＢＣＳ送信ゾーンに属するＡＳＮのリストを含む。
【０１０２】
セッション更新がＡＳＮのリストにおける変化に関する場合、この結果、ＭＣＢＣＳ送信ゾーンに参加することになった新たなＡＳＮへの「セッション開始」の送信がトリガされることがあり、及び影響を受けるＡＳＮへの「セッション停止」の送信がトリガされることもある。
【０１０３】
５  ＭＣＢＣＳセキュリティ
この章では、図１Ａ及び図１ＢのシステムにおけるＭＣＢＣＳセキュリティのための特徴を説明する。
【０１０４】
５．１  ＭＣＢＣＳサービス登録及び登録解除
５．１．１  ＭＢＳＣ動作要件
ＭＳがＭＣＢＣＳサービスに登録した場合、ＭＢＳＣは、認証及び完全性保護を実行できる。ＭＢＳＣは、ＨＴＴＰダイジェストを用いて、及びＲＦＣ２６１６及びＲＦＣ２６１７に従って、ＭＳの要求を認証及び認可することができる。
【０１０５】
ＭＢＳＣが、ＭＳから認可ヘッダのないＨＴＴＰポストを受信し、認証及び完全性保護が必要であると判断したが、ＭＢＳＣにおいて有効なナンスが利用できない場合、ＭＢＳＣは、ＭＢＳコンテンツサーバのホームＡＡＡサーバにＡＡＡ許可要求メッセージ（AAA accept request message）を送信して、ナンスを要求することができる。
【０１０６】
ＭＢＳＣは、ホームＡＡＡサーバからＡＡＡアクセスチャレンジを受信すると、ダイジェストチャレンジを含むＭＳに、ＷＷＷ認証ヘッダを有するＨＴＴＰ４０１非認可を送信することができる。
【０１０７】
ＭＢＳＣは、ＭＳから認可要求ヘッダが含まれたＨＴＴＰポストを受信すると、ＭＳを認証するための認証属性情報を取得するために、ＡＡＡアクセス要求メッセージをホームＡＡＡサーバに送信できる。
【０１０８】
ＭＢＳＣは、ホームＡＡＡサーバからダイジェスト及び鍵素材を含むＡＡＡアクセス許可メッセージを受信すると、認証情報（auth-info）を算出して、ＭＳを認証することができる。ＭＢＳＣは、認証情報ヘッダを有する２００ＯＫを送信することができる。ＭＢＳＣは、ｍｅｓｓａｇｅ−ｑｏｐを「ａｕｔｈ−ｉｎｔ」に設定することができる。
【０１０９】
ＭＢＳＣは、認証メッセージ内にメッセージオーセンティケータ情報を含ませることができる。メッセージオーセンティケータ属性がないＭＢＳ属性を含むＡＡＡアクセス許可メッセージは、ＭＢＳＣによって、警告なしで削除することができる。ＭＣＢＣＳ属性をサポートするＭＢＳＣは、メッセージオーセンティケータを検証することができ、検証に失敗した場合、パケットを警告なしで削除することができる。
【０１１０】
５．１．２  ホームＡＡＡサーバ動作要件
ＭＢＳＣからＡＡＡアクセス要求メッセージを受信すると、ホームＡＡＡサーバは、ＭＳがＭＣＢＣＳサービスに加入することを許可されているか否かをチェックすることによって、ＭＳの認証を遂行する。ホームＡＡＡサーバは、認証を目的として、Ａｕｔｈ−Ｋｅｙを算出し、これを加入者のパスワードとして使用する。ホームＡＡＡサーバは、認証及び認可に成功すると、ＭＢＳＣへの暗号鍵素材を算出できる。
【０１１１】
ホームＡＡＡサーバは、ＡＡＡアクセス許可メッセージにメッセージオーセンティケータを含ませることができる。メッセージオーセンティケータ属性がないＭＢＳ属性を含むＡＡＡアクセス許可メッセージは、ＭＢＳＣによって、警告なしで削除することができる。この他の場合、ＭＢＳＣは、メッセージオーセンティケータを検証することができ、検証に失敗した場合、パケットを警告なしで削除することができる。
【０１１２】
５．１．３  ＭＳ動作要件
ＭＳは、ＭＳのＭＣＢＣＳサービスアクティブ化又は非アクティブ化要求に応じて、ＭＢＳＣからＷＷＷ認証ヘッダを有するＨＴＴＰ４０１非認可を受信すると、Ａｕｔｈ−Ｋｅｙを算出し、ＨＴＴＰダイジェスト手続きを実行し、ＲＦＣ２６１７で規定されている認可要求ヘッダが含まれたＨＴＴＰポストを、Ａｕｔｈ−Ｋｅｙに設定されたパスワードと共に再送信することができる。
【０１１３】
ＭＳは、ＭＢＳＣから認証情報ヘッダを有する２００ＯＫを受信すると、応答ダイジェストをチェックできる。チェックが成功すると、ＭＳは、ＨＴＴＰボディを処理でき、この他の場合、ＭＳは、メッセージを無視できる。
【０１１４】
５．２  鍵管理
登録鍵（Registration Key：ＲＫ）は、ＭＢＳのための鍵配信及び認証の基礎である。ＲＫは、ＭＳに固有であり、サービスの前に、機器及びホームＡＡＡの両方に供給される。一時的暗号化鍵（Temporary encryption Key：ＴＫ）は、ホームＡＡＡによって、ＲＫ及びＴＫ＿ＲＡＮＤから導出され、ＭＢＳＣに送信され、ＭＣＢＣＳサービスアクティブ化の間、ＭＢＳＣがＭＳにＢＡＫを配信する際に、ＢＡＫを暗号化するためにＭＢＳＣによって後に使用される。ＢＡＫは、ある期間（例えば、一日、一週間、一ヶ月間）、ＭＣＢＣＳコンテンツの特定のセットへのアクセスを提供する。ＭＣＢＣＳコンテンツの暗号化されたセットのそれぞれは、異なるＢＡＫ値を有することができる。短期鍵（Short-term Key：ＳＫ）は、ＭＣＢＣＳフローを暗号化するために（より上位の層の暗号化のために）ＭＢＳＣによって使用され、又は（リンク層暗号化のために）ＡＳＮによって使用され、ＭＣＢＣＳフローを復号するためにＭＳによって使用される。ＳＫは、ＳＫ＿ＲＡＮＤ及びＢＡＫから導出される。
【０１１５】
５．３  暗号化
コンテンツ暗号化機能は、ＭＣＢＣＳコンテンツを暗号化する。リンク層暗号化が使用される場合、コンテンツ暗号化機能は、ＡＳＮに設けられる。より上位の層の暗号化が使用される場合、コンテンツ暗号化機能は、ＭＢＳＣに設けられる。
【０１１６】
５．３．１  リンク層暗号化及びより上位の層の暗号化
暗号化は、リンク層において提供できる。より上位の層の暗号化が可能な場合、ＳＲＴＰ（ＲＦＣ３７１１）を適用でき、コンテンツ暗号化（Content Encryption：ＣＥ）機能は、コンテンツサーバに設けることができる。ＳＲＴＰセッション暗号鍵は、ＭＣＢＣＳコンテンツを暗号化するためのＳＫとして使用することができる。ＳＲＴＰマスタ鍵（Master Key）、ＳＲＴＰマスタソルト（Master Salt）及びパケットインデクス（Packet Index）は、ＳＲＴＰ鍵導出を定義するＲＦＣ３７１１に準拠するＳＲＴＰセッション暗号鍵及びセッション認証鍵を導出するために使用される。鍵導出は、ＭＳ機器において行われる。
【０１１７】
ＳＲＴＰ暗号化変換は、カウンタモード（Counter Mode）のＡＥＳであってもよい。
【０１１８】
６  ヘッダ圧縮
ＭＢＳＣ及びＭＳは、何れも、オプションとしてＲＯＨＣ  Ｕモードヘッダ圧縮アルゴリズムをサポートする。
【０１１９】
ＭＢＳＣとＭＳとの間のＭＣＢＣＳサービス告知／発見は、ヘッダ圧縮構成パラメータを伝えるために使用される。
【０１２０】
ＭＳは、ＭＢＳＣのアドレスを発見した後に、ヘッダ圧縮が使用されているか及びヘッダ圧縮構成パラメータを含むＭＣＢＣＳセッション関連情報を取得する。
【０１２１】
ヘッダ圧縮構成パラメータは、選択されている特定のヘッダ圧縮アルゴリズムによって要求される。ＲＯＨＣ  Ｕモードのためのヘッダ圧縮構成パラメータを以下に示す。
【０１２２】
・ＬＡＲＧＥ＿ＣＩＤＳ：ラージＣＩＤ（０〜１６３８３）又はスモールＣＩＤ（０〜１５）の何れが使用されているかを示すブール値。
【０１２３】
・ＭＡＸ＿ＣＩＤ：ＬＡＲＧＥ＿ＣＩＤＳの選択によって制約される使用される最大のＣＩＤを示す負ではない整数。ＭＡＸ＿ＣＩＤによって示されている数のコンテキストを扱う能力がない場合であっても、ＭＳは、ＭＢＳストリームのサブセットのみに関心があり、したがって、全てのコンテキストを保守する必要はないので、ヘッダ圧縮構成を更に許可することができる。
【０１２４】
・Ｐｒｏｆｉｌｅ：使用されている圧縮プロファイルを示す負ではない整数。ＲＴＰプロファイルのためのプロファイルＩＤは、０ｘ０００１である。
【０１２５】
・ＭＡＸ＿ＨＥＡＤＥＲ：圧縮できる最大のヘッダサイズをオクテットで示す負ではない整数。提案される値は、１６８である。
【０１２６】
・ＭＲＲＵ：伸長器がセグメントから組み立て直すと予想される、再構築されるユニットの最大のサイズをオクテットで示す負ではない整数。値０は、そのチャンネル上でセグメントヘッダが許可されていないことを意味する。
【０１２７】
ＲＯＨＣ  Ｕモードが使用されている場合、ＢＳＮ及びＭＳは、ＲＦＣ３０９５に従う。ＭＢＳＣは、初期化時にＩＲパケットを送信し、定期的なリフレッシュの際にＩＲ及びＩＲ−ＤＹＮを送信する。
【０１２８】
６．１  ＭＳ動作要件
ＭＳがＭＢＳＣからＭＢＳセッション関連情報を受信すると、ＭＳは、ヘッダ圧縮アルゴリズムがサポートされているか否かをチェックする。ヘッダ圧縮アルゴリズムがサポートされている場合、ＭＳは、ヘッダ圧縮構成パラメータを保存でき、ＲＦＣ３０９５において規定されているように、ＲＯＨＣ  Ｕモードに従うことができる。
【０１２９】
６．２  ＭＢＳＣ動作要件
ＭＣＢＣＳサービス告知／発見の間、ＭＢＳＣは、ヘッダ圧縮が使用されているか否かをＭＳに示すことができる。ＲＯＨＣ  Ｕモードヘッダ圧縮が使用されている場合、ＭＢＳＣは、ＲＯＨＣ  Ｕモードヘッダ圧縮のために必要な構成パラメータを含ませることができる。
【０１３０】
ＭＢＳＣは、受信した構成パラメータに基づいて、ヘッダ圧縮器を構成でき、コンテンツサーバからマルチキャストＩＰフローを受信する際、マルチキャストＩＰフローのためのヘッダ圧縮を実行することができる。
【０１３１】
ＲＯＨＣ  Ｕモードが使用されている場合、ＣＳＮ−ＭＲは、ＲＦＣ３０９５に従うことができる。ＭＢＳＣは、対応するＭＣＢＣＳコンテンツ送信のために、使用中のヘッダ圧縮プロトコルを示すことができる。ＭＢＳＣは、ＩＲパケットをＭＳに送信することによって圧縮器を初期化できる。更に、ＭＢＳＣは、ＲＦＣ３０９５において規定されているように、定期的にＩＲ及びＩＲ−ＤＹＮパケットを送信して、静的及び／又は動的なコンテキストを更新することができる。リフレッシュ間隔は、オペレータによって構成可能である。
【０１３２】
ＭＢＳＣがヘッダ圧縮をサポートしない場合、ＭＢＳＣは、ヘッダ圧縮構成パラメータを無視して、ヘッダ圧縮なしでＩＰパケットを送信できる。
【０１３３】
７．  ＭＣＢＣＳハイレベルシステム手続き
この章では、ＭＣＢＣＳシステム手続きの概要を説明する。図４及び図５は、ＭＣＢＣＳユーザサービス登録及び登録解除手続き（MCBCS User Service Registration and De-registration Procedures）の具体例を示している。図６及び図７は、ＭＣＢＣＳユーザサービスアクティブ化及び非アクティブ化手続き（MCBCS User Service Activation & De-activation Procedures）の具体例を示している。図８及び図９は、ＭＣＢＣＳコンテンツ送信セッション開始／停止手続き（MCBCS Content Transmission Session Start/Stop Procedures）の具体例を示している。図１０は、ブロードキャストモードのみのためのＭＣＢＣＳコンテンツ送信セッション更新（MCBCS Content Transmission Session Update）の具体例を示している。
【０１３４】
８．  ＭＣＢＣＳユーザサービスのためのローミングサポート
図１Ｂに示すように、訪問先のＡＳＮは、ローミングユーザ（ＭＳ）に、ホームネットワーク又は訪問先ネットワークからＭＣＢＣＳユーザサービスにアクセスするためのサポートを提供できる。所与のＭＳのためのＡＳＮにおける初期サービスフロー（Initial Service Flow：ＩＳＦ）の確立を用いて、「参加」手続きをトリガすることができる。訪問先のＮＳＰにおいて、ＭＳがＭＣＢＣＳサービスに登録するための認可は、ＭＳのホームネットワークからの許可を得ることによって行われる。一旦、ＭＳがホームネットワークによって認可されると、ＭＣＢＣＳコンテンツは、ホームＮＳＰによって、又は訪問先ＮＳＰネットワークによって転送することができる。ＭＢＳＣが、ローミングポリシ又は訪問先ＮＳＰとホームＮＳＰとの間で得られた同意に基づいて、ホームＣＳＮにあって用いられようが、訪問先ＣＳＮにあって用いられようが、例えば、訪問先のＭＢＳＣは、ローミングポリシ及びＮＳＰの間の同意に基づいて、ホームＣＳＮから取得された情報を変更できる。図１Ｂの具体例は、ホームネットワークと訪問先ネットワークとの間のローミング参照点（roaming reference point）を含む。
【０１３５】
９．  基地局間の切替の間のＭＣＢＣＳデータ同期サポート
ＭＣＢＣＳサービスを受信する図１Ａ又は図１Ｂのシステム内のＭＢＳ−ＭＳは、データ又はボイスサービスのためのユニキャストサービスにおける通常のハンドオフ処理を行うことなく、ある基地局から他の基地局に切り替わることができる。本発明に基づくシステムのこの「ハンドオフ不要（handoff-free）」切替によって、通常、ユニキャストサービスにおけるハンドオフ処理に費やされる数十ミリ秒（例えば、５０ミリ秒〜１００ミリ秒）程度の通信の途切れを回避することができる。
【０１３６】
ＭＣＢＣＳサービスにおいてこの「ハンドオフ不要」切替を実現する一手法は、ＷｉＭＡＸ通信におけるフレームレベルでの同期を利用することである。この手法では、ＭＳは、フレームヘッダ内のフレームシーケンスマップに基づいて、データの受信を同期させるように動作し、所与のＭＣＢＣＳ送信ゾーンについて、ＭＣＢＣＳコンテンツを同期させてＭＳに配信するための効率的なＭＣＢＣＳスケジューリングが提供される。このＭＣＢＣＳコンテンツ同期は、同じＭＣＢＣＳ送信ゾーンに属する全てのＢＳの動作に関連し、これらの全てのＢＳは、ＴＤＤ／ＦＤＤフレームを用いて、同じＭＣＢＣＳコンテンツを送信するために全てが同期され（すなわち、フレームレベル同期）、同じチャンネル符号化スキームを用いて、同じＯＦＤＭＡデータ領域において同期させることもできる（すなわち、シンボルレベル同期）。このような精度の調整機能の結果、マクロダイバーシチ効果が実現され、カバレッジエリアのセルエッジにおいても、加入者により高い伝送品質のコンテンツを提供することができる。
【０１３７】
マクロダイバーシチトランスポートは、シンボルレベルでの同期を提供する。空間的な再使用に基づくＷｉＭＡＸマクロダイバーシチトランスポートによって、セルエッジのＭＳに到達するダウンリンク送信のためのＢＳのリンクバジェットを改善することができる。このようなスキームでは、複数の参加ＢＳからの同じ情報の送信は、ＯＦＤＭＡシンボルの精度で、正確に同じタイムフレームでＭＳに到着するように整理され、これにより、ＭＳにおいて同じ又は異なる周波数の同じタイムスロットにおいて、複数のＢＳを検出する要求が軽減される。このようにして、ＢＳは、送信「グループ」又は「セット」に区切られ、これを「ＭＣＢＣＳ送信ゾーン」と呼ぶ。各送信ゾーンには、ＭＣＢＣＳ送信のためのタイムスロット（又はタイムスロットのセット）が割り当てられる。割り当てられたスロットは、通常、そのＭＣＢＣＳダウンストリーム送信によって排他的に使用され、すなわち、同じキャリアについてあるゾーンがアクティブのときは、他のゾーンは、送信を行わない。ＭＳは、ゾーン内で情報の受信を試み、これらを物理層で結合して、受信の信頼性を高める。このような精度の送信を実現するために、ＭＢＳ−ＡＡとＭＢＳ−ＬＡとの間のデータ同期及びダウンリンク送信スケジューリング調整を用いて、マクロダイバーシチトランスポートを実現する。
【０１３８】
図１１は、所与のＭＣＢＣＳ送信ゾーンのためのＭＣＢＣＳデータ同期をサポートするピアツーピア参照モデルの具体例を示している。
【０１３９】
本明細書は、多くの詳細を含むが、これらは、本発明の範囲又は請求の範囲を制限するものとは解釈されず、本発明の特定の実施の形態に固有の特徴の説明として解釈される。別々の実施の形態の文脈において、本明細書に開示されている幾つかの特徴は、単一の実施の形態において組合せて実施してもよい。逆に、単一の実施の形態の文脈で開示した様々な特徴は、複数の実施の形態に別個に具現化してもよく、適切な如何なる部分的組合せとして具現化してもよい。更に、以上では、幾つかの特徴を、ある組合せで機能するものと説明しているが、初期的には、そのように特許請求している場合であっても、特許請求された組合せからの１つ以上の特徴は、幾つかの場合、組合せから除外でき、特許請求された組合せは、部分的組合せ又は部分的な組合せの変形に変更してもよい。
【０１４０】
ここでは、僅かな具体例のみを開示した。但し、本明細書の開示及び例示に基づいて、説明した具体例の変形例及び拡張例及び他の具体例を想到することができる。
【図１Ａ】
2010520672.tif 000003
【図１Ｂ】
2010520672.tif 000004
【図２】
2010520672.tif 000005
【図３】
2010520672.tif 000006
【図４】
2010520672.tif 000007
【図５】
2010520672.tif 000008
【図６】
2010520672.tif 000009
【図７】
2010520672.tif 000010
【図８】
2010520672.tif 000011
【図９】
2010520672.tif 000012
【図１０】
2010520672.tif 000013
【図１１】
2010520672.tif 000014
【国際調査報告】
2010520672.tif 000015
2010520672.tif 000016